(57)【要約】【課題】温度体感フィーリングを向上する。【解決手段】浴槽に設けられた第１接続口５１ａに接続された第１配管８０１と、第２接続口５１ｂに接続された第２配管８０２と、風呂熱交換器４２により加熱された浴槽水を、第１配管８０１を通過して第１接続口５１ａから浴槽５１内に流出させる第１流路と、第２配管８０２を通過して第２接続口５１ｂから浴槽５１内に流出させる第２流路と、を交互に切り替える流路切替部８１、８６、３８を備える。【選択図】図１
2017156048.tif 000002
【特許請求の範囲】
【請求項１】
貯湯水を貯えるタンク（１１）と、浴槽（５１）に貯められた浴槽水と前記タンク内の前記貯湯水とを熱交換して前記浴槽水を加熱する熱交換器（４２）を備えた給湯装置であって、
前記浴槽に設けられた第１接続口（５１ａ）に接続された第１配管（８０１）と、
前記浴槽に設けられた第２接続口（５１ｂ）に接続された第２配管（８０２）と、
前記熱交換器により加熱された前記浴槽水を、前記第１配管を通過して前記第１接続口から前記浴槽内に流出させる第１流路と、前記第２配管を通過して前記第２接続口から前記浴槽内に流出させる第２流路と、を交互に切り替える流路切替部（８１、８６、３８）を備えた給湯装置。
【請求項２】
前記熱交換器における前記浴槽水の流入口に接続された第３配管（８０３）と、
前記熱交換器における前記浴槽水の流出口に接続された第４配管（８０４）と、を備え、
前記流路切替部は、
前記熱交換器から前記第４配管へ流出した前記浴槽水を、前記第１配管へ流す流路と、前記第２配管へ流す流路と、に切り替える第１流路切替部（８１）と、
前記浴槽内の前記第１接続口から前記第１配管へ流出した前記浴槽水を、前記第３配管へ流す流路と、前記浴槽内の前記第２接続口から前記第２配管へ流出した前記浴槽水を、前記第３配管へ流す流路と、に交互に切り替える第２流路切替部（８６）と、
前記熱交換器から前記第４配管へ流出した前記浴槽水を、前記第１配管へ流すよう第１流路切替部を制御するとともに前記浴槽内の前記第１接続口から前記第１配管へ流出した前記浴槽水を、前記第３配管へ流すよう第２流路切替部を制御すること（Ｓ１０２）と、前記熱交換器から前記第４配管へ流出した前記浴槽水を、前記第２配管へ流すよう第１流路切替部を制御するとともに前記浴槽内の前記第２接続口から前記第２配管へ流出した前記浴槽水を、前記第３配管へ流すよう第２流路切替部を制御すること（Ｓ１０６）、とを交互に行う制御部（３８）と、を備えた請求項１に記載の給湯装置。
【請求項３】
前記タンク内の貯湯水を合流させる合流部（８０３ａ）を有し前記熱交換器における前記浴槽水の流入口に接続された第３配管（８０３）と、
前記熱交換器における前記浴槽水の流出口に接続された第４配管（８０４）と、
前記流路切替部は、前記合流部から前記第３配管に合流した前記貯湯水を、前記熱交換器、前記第４配管を通って前記第１配管へ流す流路と、前記熱交換器、前記第４配管を通って前記第２配管へ流す流路と、に切り替える第１流路切替部（８１）と、
前記タンク内の貯湯水を前記浴槽に注湯する場合、前記合流部から前記第３配管に合流した前記貯湯水を、前記熱交換器、前記第４配管を通って前記第１配管へ流すよう前記第１流路切替部を制御すること（Ｓ２０８）と、前記熱交換器、前記第４配管を通って前記第２配管へ流すよう前記第１流路切替部を制御すること（Ｓ２１２）と、を交互に行う制御部（３８）と、を備えた請求項１に記載の給湯装置。
【請求項４】
前記制御部は、前記第１配管〜前記第４配管を洗浄する場合、前記第１配管〜前記第４配管のすべての流路に前記貯湯水を流通させるよう前記第１流路切替部および前記第２流路切替部を制御する（Ｓ３０２、Ｓ３０６、Ｓ３１０、Ｓ３１４）請求項３に記載の給湯装置。
【請求項５】
前記熱交換器は、前記第３配管と前記第４配管の間に設けられており、
前記第３配管内を流通する前記浴槽水の圧力を検出して前記浴槽水の水位を示す情報を出力する水位センサ（８２）、前記第３配管の前記熱交換器側の方向に前記浴槽水が流通しているか否かを検出する浴槽水流通センサ（８３）、前記第３配管内を流通する前記浴槽水の温度を検知する温度センサ（８５）、前記浴槽の浴水を前記熱交換器を経由して前記浴槽に戻す方向に循環させるポンプ（８４）および前記熱交換器より流出した浴水の温度を検知する風呂追焚き温度センサ（８７）の少なくとも１つが前記第３配管または前記第４配管に設けられている請求項１または２に記載の給湯装置。
【請求項６】
前記熱交換器における前記浴槽水の流入口に接続された第３配管（８０３）と、
前記熱交換器における前記浴槽水の流出口に接続された第４配管（８０４）と、を備え、
前記流路切替部は、
前記熱交換器から前記第４配管へ流出した前記浴槽水を、前記第１配管へ流すとともに前記浴槽内の前記第２接続口から前記第２配管へ流出した前記浴槽水を、前記第３配管へ流す状態と、前記熱交換器から前記第４配管へ流出した前記浴槽水を、前記第２配管へ流すとともに前記浴槽内の前記第１接続口から前記第１配管へ流出した前記浴槽水を、前記第３配管へ流す状態と、を切り替える第３流路切替部（８８）である請求項１に記載の給湯装置。
【請求項７】
前記第１接続口と前記第２接続口から交互に前記浴槽水または前記貯湯水を流出させる交互切替運転を設定することが可能な遠隔操作部（９０、９２）を備え、
前記制御部は、前記遠隔操作部により前記交互切替運転が設定された場合、前記第１接続口と前記第２接続口から交互に前記浴槽水または前記貯湯水を流出するよう前記第１流路切替部および前記第２流路切替部を制御する請求項１に記載の給湯装置。
【発明の詳細な説明】
【技術分野】
【０００１】
本発明は、浴槽に貯められた浴槽水とタンク内の貯湯水とを熱交換して浴槽水を加熱する熱交換器を備えた給湯装置に関するものである。
【背景技術】
【０００２】
従来、給湯用水を貯えるタンクと、タンク内の下部の給湯用水を上部に戻す前に加熱するヒートポンプユニットと、浴槽内の浴槽水を浴槽水循環回路において循環させる風呂循環ポンプと、を備えたヒートポンプ式給湯装置がある（例えば、特許文献１参照）。この給湯装置は、さらに、浴槽水循環回路を循環する浴槽水とタンク内の給湯用水とを熱交換させて浴槽水を加熱する追い焚き用熱交換器と、風呂循環ポンプの出力を制御して浴槽水の循環流量を調整する制御装置を備えている。そして、制御装置は、追い焚き運転において浴槽水温を用いたパラメータに応じて風呂循環ポンプの出力を可変するよう構成されている。
【先行技術文献】
【特許文献】
【０００３】
【特許文献１】特許第５７６４９３８公報
【発明の概要】
【発明が解決しようとする課題】
【０００４】
上記特許文献１に記載された給湯装置は、浴槽内にアダプタが設けられており、このアダプタには、浴槽内に浴槽水を流入させる往き管と、浴槽内の浴槽水を流出させる風呂用配管とが接続されている。そして、浴槽内に流入する浴槽水は往き管を通って流入し、浴槽内から流出する浴槽水は風呂用配管を通って流出する。このため、十分な温度体感フィーリングが得られないといった問題がある。
【０００５】
本発明は上記問題に鑑みたもので、温度体感フィーリングを向上することを目的とする。
【課題を解決するための手段】
【０００６】
上記目的を達成するため、請求項１に記載の発明は、貯湯水を貯えるタンク（１１）と、浴槽（５１）に貯められた浴槽水とタンク内の貯湯水とを熱交換して浴槽水を加熱する熱交換器（４２）を備えた給湯装置であって、浴槽に設けられた第１接続口（５１ａ）に接続された第１配管（８０１）と、浴槽に設けられた第２接続口（５１ｂ）に接続された第２配管（８０２）と、熱交換器により加熱された浴槽水を、第１配管を通過して第１接続口から浴槽内に流出させる第１流路と、第２配管を通過して第２接続口から浴槽内に流出させる第２流路と、を交互に切り替える流路切替部（８１、８６、３８）を備えている。
【０００７】
このような構成によれば、熱交換器により加熱された浴槽水が、第１接続口と第２接続口と、から浴槽内に交互に流出するので、温度体感フィーリングを向上することができる。
【０００８】
なお、この欄および特許請求の範囲で記載した各手段の括弧内の符号は、後述する実施形態に記載の具体的手段との対応関係を示すものである。
【図面の簡単な説明】
【０００９】
【図１】本発明の第１実施形態に係る給湯装置の全体構成を示す図である。
【図２】風呂リモコンの表示パネルに表示されたメニュー画面の一部表示例を表した図である。
【図３】第１実施形態の給湯装置の給湯制御部によるふろ交互循環運転時の処理を示すフローチャートである。
【図４】ふろ交互循環運転において第１接続口から浴槽内へ浴槽水が流出する際の流れを示した図である。
【図５】ふろ交互循環運転において第２接続口から浴槽内へ浴槽水が流出する際の流れを示した図である。
【図６】第２実施形態の給湯装置の給湯制御部による湯張りおよび交互注湯時の処理を示すフローチャートである。
【図７】第１接続口と第２接続口の両方から給湯が浴槽へ流入する流れを示した図である。
【図８】第１接続口から給湯が浴槽へ流入する流れを示した図である。
【図９】第２接続口から給湯が浴槽へ流入する流れを示した図である。
【図１０】第３実施形態の給湯装置の給湯制御部による配管洗浄時の処理を示すフローチャートである。
【図１１】配管洗浄時のパターン１の市水の流れを示した図である。
【図１２】配管洗浄時のパターン２の市水の流れを示した図である。
【図１３】配管洗浄時のパターン３の市水の流れを示した図である。
【図１４】配管洗浄時のパターン４の市水の流れを示した図である。
【図１５】第４実施形態に係る給湯装置の流路切替部の状態を示した図である。
【図１６】第４実施形態に係る給湯装置の流路切替部の状態を示した図である。
【発明を実施するための形態】
【００１０】
以下、本発明の実施形態について図面を参照して説明する。なお、以下の各実施形態において、先行する実施形態で説明した事項と同一もしくは均等である部分には、同一の参照符号を付し、その説明を省略する場合がある。また、各実施形態において、構成要素の一部だけを説明している場合、構成要素の他の部分に関しては、先行する実施形態において説明した構成要素を適用することができる。
【００１１】
（第１実施形態）
本発明の第１実施形態に係る給湯装置１０について図１〜図５を用いて説明する。図１に示す給湯装置１０は、一般家庭用として使用される貯湯式給湯装置である。給湯装置１０は、貯湯タンク１１内に貯えられた蓄熱用流体を熱源として、台所・洗面所・浴室などへの給湯機能の他に、浴槽５１への湯張りおよび湯張りされた浴水を追い焚きする機能を有するものである。本実施形態では、蓄熱用流体として給湯側と同じ給湯用水を用いている。
【００１２】
給湯装置１０は、貯湯タンクユニット２０と、その貯湯タンクユニット２０の作動を制御する給湯制御部３８と、貯湯タンクユニット２０の熱源として機能するヒートポンプユニット１３と、そのヒートポンプユニット１３の作動を制御する熱源制御部４０と、台所に設置されるメインリモコンとしての台所リモコン９０と、浴室に設置される風呂リモコン９２とを含んで構成されている。
【００１３】
貯湯タンクユニット２０は、貯湯タンク１１、沸上回路１２、熱負荷回路１４、給水用配管１５、および給湯配管２７を含んで構成され、貯湯タンク１１内に湯を貯えると共にその湯の供給等を行う給湯ユニットである。貯湯タンク１１は、給湯用の湯を蓄える容器であり、耐食性に優れた金属製、例えば、ステンレス製からなり、その外周部に断熱材が設けられ、給湯用の高温水を長時間に渡って保温することができる。貯湯タンク１１は縦長形状であり、その底面に導入口１１ａが設けられている。
【００１４】
貯湯タンク１１には、貯湯タンク１１内部の貯湯量および貯湯温度を検出するために高さ方向に７個並んだサーミスタからなる水温サーミスタ１１ｂが設けられている。各水位における貯湯タンク１１内に満たされた湯もしくは水の温度情報は、給湯制御部３８へ出力される。したがって、給湯制御部３８は、水温サーミスタ１１ｂからの温度情報に基づいて、貯湯タンク１１内上方の沸き上げられた湯と貯湯タンク１１内下方の沸き上げられる前の水との境界位置を検出できるとともに、これにより貯湯量が検出できるようになっている。
【００１５】
貯湯タンク１１の底面の導入口１１ａには貯湯タンク１１内に市水を供給する市水流入配管２１が接続されている。市水流入配管２１とつながっている市水配管２２には、導入される水道水の水圧が所定圧となるように調節するとともに、断水などにおける湯の逆流を防止する減圧弁２３が設けられている。この市水配管２２は、給水用配管１５を経由して、後述する風呂混合弁２４および給湯混合弁２５につながっている。
【００１６】
ヒートポンプユニット１３は、貯湯タンクユニット２０が供給する湯を沸かすための熱源として機能する熱源ユニットである。すなわち、ヒートポンプユニット１３は、入口配管３６から流れてくる蓄熱用流体を加熱して、出口配管３７に排出する加熱部である。
【００１７】
ヒートポンプユニット１３は、冷媒として臨界温度の低い二酸化炭素を使用するヒートポンプサイクルを有している。したがって、ヒートポンプユニット１３は、図示は省略するが、少なくとも圧縮機、放熱器としての水−冷媒熱交換器、可変式減圧器、蒸発器および気液分離器を有し、それらの機器が閉回路を構成するように接続されている。また、蒸発器の下流側には、蒸発器下流側の温度を検出する蒸発器温度サーミスタが設けられている。熱源制御部４０は、蒸発器温度サーミスタから検出情報を受け取るとともに、可変式減圧器や圧縮機の運転を制御している。
【００１８】
ヒートポンプユニット１３は、水−冷媒熱交換器の冷媒流路を流れる高温高圧の冷媒と、水−冷媒熱交換器の水流路を流れる水との間で熱交換を行うことにより、温水を沸き上げることができる。また、ヒートポンプユニット１３は、電気式エジェクタを用いたエジェクタ式サイクルで構成してもよい。
【００１９】
ヒートポンプユニット１３のヒートポンプサイクルを超臨界ヒートポンプで構成した場合、一般的なヒートポンプサイクルよりも高温、例えば、８５℃〜９０℃程度の湯を貯湯タンク１１内に蓄えることができる。そのヒートポンプサイクルは、主に、貯湯タンク１１内に貯まっている温水が不足しているときや料金設定の安価な深夜時間帯の深夜電力を利用して貯湯タンク１１内の湯を沸き上げる沸上げ給湯運転を行う。
【００２０】
沸上回路１２は、貯湯タンク１１の下部から蓄熱用流体を取出してヒートポンプユニット１３で加熱し、再び蓄熱用流体を貯湯タンク１１の上部に戻すための回路である。沸上回路１２は、貯湯タンク１１の下部とヒートポンプユニット１３の入口配管３６とを接続する沸上用往き配管３１、およびヒートポンプユニット１３の出口配管３７と貯湯タンク１１の上部とを接続する沸上用戻り配管３２を有している。また、ヒートポンプユニット１３は沸上用循環ポンプ３３を有しており、その沸上用循環ポンプ３３は、貯湯タンク１１の下部の蓄熱用流体を沸上用往き配管３１からヒートポンプユニット１３の入口配管３６、出口配管３７および沸上用戻り配管３２を経由して貯湯タンク１１の上部に戻す方向に循環させる。
【００２１】
また沸上用戻り配管３２には、バイパス弁３４が設けられている。バイパス弁３４には、沸上用戻り配管３２と貯湯タンク１１の下部とを接続するバイパス配管３５が設けられている。バイパス弁３４は、沸上用戻り配管３２を通過して貯湯タンク１１の上部に向かう流量と、バイパス配管３５を通過して貯湯タンク１１の下部に流れる流量との流量比を調節する。
【００２２】
熱負荷回路１４は、貯湯タンクユニット２０から湯が供給される風呂の浴槽５１に溜まった湯を追い焚きするため、貯湯タンク１１内の蓄熱用流体と浴槽５１の湯とを熱交換するための回路である。熱負荷回路１４は、取出配管４１、風呂熱交換器４２、取入配管４３、風呂１次ポンプ４４、風呂１次サーミスタ４５および風呂１次逆止弁４６を有している。取出配管４１は、貯湯タンク１１の上部と沸上用戻り配管３２とに接続されている。風呂熱交換器４２は、取出配管４１を通過した蓄熱用流体を風呂側（熱負荷側）と熱交換する。具体的には、風呂熱交換器４２は、貯湯タンク１１内の蓄熱用流体が流通する第１流通部４２ａと浴槽水が流通する第２流通部４２ｂとを備え、その第１流通部４２ａおよび第２流通部４２ｂは互いに隣接するように構成されている。そして、風呂熱交換器４２は、蓄熱用流体と浴槽水とが対向流となるように構成され、両者間で熱交換が行われる。
【００２３】
取入配管４３は、風呂熱交換器４２を通過した蓄熱用流体を貯湯タンク１１に戻す。風呂１次ポンプ４４は、貯湯タンク１１の蓄熱用流体を取出配管４１から風呂熱交換器４２と取入配管４３とを経由して貯湯タンク１１に戻す方向に循環させる熱負荷用循環ポンプである。風呂１次サーミスタ４５は、取出配管４１を通過する蓄熱用流体の温度を検出する。風呂１次逆止弁４６は、取入配管４３から第１流通部４２ａへの蓄熱流体の流れを阻止するように取入配管４３に設けられ、貯湯タンク１１内の蓄熱流体が風呂熱交換器４２と取入配管４３とを経由して貯湯タンク１１に対流することを防止する為に設けられる。
【００２４】
貯湯タンク１１の上部には、貯湯タンク１１内の高温水部の温水が流出して給湯使用側端末まで流れる給湯配管２７が設けられている。給湯配管２７は、シャワー５４、カラン、手洗い栓などに連通しており、途中で分岐する配管は風呂用配管２８であり、風呂の浴槽５１内に連通する配管である。
【００２５】
またこの給湯配管２７の配管途中には、逃がし弁５２が配設された排出配管５３が接続され、貯湯タンク１１内の圧力が所定圧以上に上昇した場合には、貯湯タンク１１内の温水を外部に排出して、貯湯タンク１１等に損害を与えないように構成されている。
【００２６】
貯湯タンク１１の下部には、水道水などの市水を取り入れる市水配管２２から分岐した市水流入配管２１が接続されている。給湯配管２７には、市水配管２２と連通する給水用配管１５が接続されている。
【００２７】
貯湯タンク１１内のほぼ中間部である中温水部は、貯湯タンク１１内に蓄えられた給湯用の温水のうち、中温水を導出するための中温水配管２９と連絡されている。給湯配管２７と中温水配管２９の合流部には、中温水混合弁３０が設けられている。中温水混合弁３０は、給湯用水の湯温を調節する温度調節弁であり、それぞれの開口面積比を調節することで、給湯配管２７から取り出した高温水と中温水配管２９から取り出した中温水との混合比を調節することができる。また中温水配管２９には、中温水逆止弁１７が設けられている。中温水逆止弁１７は、貯湯タンク１１の上部にある高温水が中温水混合弁３０を経由して貯湯タンク１１の中温水部へ逆流しないように設けられている。また、給湯配管２７のうち、中温水混合弁３０と給湯混合弁２５の間には、中温水サーミスタ３９が設けられている。
【００２８】
中温水混合弁３０よりも下流部位には、給湯配管２７と分岐した風呂用配管２８とが接続されている。そして中温水混合弁３０の下流側の給湯配管２７には、給湯混合弁２５が設けられ、風呂用配管２８には風呂混合弁２４が設けられている。給湯混合弁２５は、給湯配管２７と給水用配管１５との合流部に設けられている。風呂混合弁２４は、風呂用配管２８と給水用配管１５との合流部に設けられている。給湯混合弁２５および風呂混合弁２４はそれぞれ、給湯配管２７、風呂用配管２８の末端で出湯する給湯用水の湯温を調節する温度調節弁である。これらは、それぞれの開口面積比、つまり、中温水混合弁３０で温度調節された給湯用水側の開度と市水配管２２に連通する水側の開度との比率を調節することによって、出湯する湯温を設定温度に調節する。
【００２９】
給湯混合弁２５の下流側の給湯配管２７には、給湯サーミスタ６１、給湯用流量カウンタ６２および給湯用逆止弁６３が設けられている。給湯サーミスタ６１は、給湯配管２７に流れる温水の温度を検出する。給湯用流量カウンタ６２は、給湯配管２７に流れる温水の流量を検出する。給湯用逆止弁６３は、給湯配管２７の末端のシャワー５４から給湯混合弁２５に逆流させないために設けられる。
【００３０】
風呂混合弁２４の下流側の風呂用配管２８には、風呂に注湯するための風呂注湯ユニット７０が設けられている。風呂注湯ユニット７０は、風呂用電磁弁７１、逆流防止弁７２、風呂サーミスタ７３、風呂用流量カウンタ７４、および２つの風呂用逆止弁７５を有している。風呂サーミスタ７３は、風呂用配管２８に流れる温水の温度を検出する。風呂用流量カウンタ７４は、風呂用配管２８に流れる温水の流量を検出する。２つの風呂用逆止弁７５は、浴水循環回路８０内の浴水を風呂混合弁２４へ逆流させないために設けられている。
【００３１】
２つの風呂用逆止弁７５間には、排出経路上流端を接続するとともに風呂混合弁２４下流側に導圧管を接続した逆流防止弁７４が設けられている。逆流防止弁７２は、給湯配管２７側に浸入しようとする浴水がある場合には、両接続点の圧力差に応じて逆流防止弁７２を作動させて風呂注湯ユニット７０の外部に排出できるようになっている。
【００３２】
風呂用電磁弁７１は、浴槽５１に湯張り・差し湯・足し湯をするときに開弁される。風呂用電磁弁７１は、風呂用流量カウンタ７４により検出された流量情報に基づいて所定の流量の混合湯が出湯されるように制御される。
【００３３】
給湯混合弁２５および風呂混合弁２４は、それぞれの出口側に設けられた各サーミスタ６１、７３によって検出される給湯用水の湯温に基づいてフィードバック制御が行われている。また各流量カウンタ６２、７４がそれぞれ給湯配管２７、風呂用配管２８内の水の流れを検出したときは、それぞれの配管の末端にある給湯水栓、シャワー５４または風呂用電磁弁７１が開弁されて給湯用水を出湯している状態である。
【００３４】
浴槽５１には、浴槽５１内の浴水を循環するための浴水循環回路８０が接続されている。浴水循環回路８０は、貯湯タンク１１内の高温の湯を循環する熱負荷回路１４との間で熱交換するための風呂熱交換器４２に浴水を循環させる。浴水循環回路８０は、浴槽５１に設けられた第１接続口５１ａに接続された第１配管８０１と、浴槽５１に設けられた第２接続口５１ｂに接続された第２配管８０２と、を備えている。また、浴水循環回路８０は、風呂熱交換器４２における浴槽水の流入口に接続された第３配管８０３と、熱交換器４２における浴槽水の流出口に接続された第４配管８０４と、を備えている。さらに、浴水循環回路８０は、第１流路切替部８１および第２流路切替部８６を備えている。
【００３５】
第１接続口５１ａおよび第２接続口５１ｂは、浴槽５１内に設けられたアダプタ５１０内に設けられている。浴槽５１内からアダプタ５１０を見て、第１接続口５１ａは第２接続口５１ｂの右側に配置されている。
【００３６】
第１流路切替部８１は、第１配管８０１、第２配管８０２および第４配管８０４に接続された電気式の三方弁である。第１流路切替部８１は、風呂熱交換器４２から第４配管８０４へ流出した浴槽水を、第１配管８０１へ流す流路と、第２配管８０２へ流す流路と、を切り替える。
【００３７】
第２流路切替部８６は、第１配管８０１、第２配管８０２および第３配管８０３に接続された電気式の三方弁である。第２流路切替部８６は、浴槽５１内の第１接続口５１ａから第１配管８０１へ流出した浴槽水を、第３配管８０３へ流す流路と、浴槽５１内の第２接続口５１ｂから第２配管８０２へ流出した浴槽水を、第３配管８０３へ流す流路と、を切り替える。
【００３８】
第１流路切替部８１、第２流路切替部８６および後述する給湯制御部３８は、風呂熱交換器４２により加熱された浴槽水を、第１配管８０１を通過して第１接続口５１ａから浴槽５１内に流出させる第１流路と、第２配管８０２を通過して第２接続口５１ｂから浴槽５１内に流出させる第２流路と、を交互に切り替える流路切替部である。
【００３９】
第３配管８０３には、上流側から順に、風呂水位センサ８２、風呂循環センサ８３、風呂循環サーミスタ８５および風呂循環ポンプ８４が設けられている。また第４配管８０４には、風呂追焚きサーミスタ８７が設けられている。
【００４０】
風呂水位センサ８２は、水位を示す物理値として第３配管８０３内の水圧を検出する圧力式の水位センサであり、風呂水位センサ８２からの検出信号を受け取る給湯制御部３８は、風呂水位センサ８２が検出した圧力を水位に換算する。
【００４１】
風呂循環センサ８３は、第３配管８０３の風呂熱交換器４２側の方向に浴水が流通しているか否かを検出するためのセンサである。風呂追焚きサーミスタ８７は、風呂熱交換器４２より流出した浴水の温度を検知する。風呂追焚きサーミスタ８７は、風呂熱交換器４２より流出した浴水の温度を検知する風呂追焚き温度センサである。風呂循環ポンプ８４は、浴槽５１の浴水を第２配管８０２、第３配管８０３から風呂熱交換器４２と第４配管８０４、第１配管８０１とを経由して浴槽５１に戻す方向に循環させるポンプである。風呂熱交サーミスタ８７は風呂熱交換器４２の出口温度を検出する。また風呂用配管２８は、その下流端が風呂循環ポンプ８４と風呂熱交換器４２との間の第３配管８０３に繋がれている。
【００４２】
給湯制御部３８は、マイクロコンピュータを主体として構成され、その給湯制御部３８が内蔵するＲＯＭまたはＲＡＭには、予め設定された制御プログラムや更新可能な制御プログラムが備えられている。熱源制御部４０の構成もこれと同様である。また、給湯制御部３８と熱源制御部４０とは互いに通信可能に接続されており、相互に通信することにより１つの制御部として機能する。
【００４３】
また、給湯制御部３８は、各サーミスタからの温度情報、各流量カウンタおよび流水スイッチからの流量情報、その他のセンサからの検出情報、および台所リモコン９０や風呂リモコン９２などの操作スイッチからの操作信号等に基づいて、各混合弁、電磁弁、切替弁、風呂循環ポンプ８４などのアクチュエータ類を制御する。また、熱源制御部４０は、例えば給湯制御部３８からの信号に基づいて、ヒートポンプユニット１３を制御する。台所リモコン９０や風呂リモコン９２などの操作スイッチは、ヒートポンプユニット１３、沸上用循環ポンプ３３および風呂１次ポンプ４４を操作するために用いられる。
【００４４】
次に、給湯装置１０の動作に関して説明する。まず、ヒートポンプユニット１３を利用した貯湯タンク１１への湯の貯湯動作について説明する。
【００４５】
特定の沸上時間帯として例えば時間帯別電灯制度の夜間時間帯において、ヒートポンプユニット１３を運転させる。ヒートポンプユニット１３の運転により、貯湯タンク１１の下部の水を所定の沸上温度に沸き上げて貯湯タンク１１の上部に戻し、貯湯タンク１１の上部側から予め設定された湯量または貯湯タンク１１の全量分の湯を貯湯する。
【００４６】
次に、給湯動作について説明する。給湯配管２７の下流側に配設される給湯栓等を開くことにより、給水圧力により貯湯タンク１１内の湯が押し出される。そして、貯湯タンク１１からの湯と市水流入配管２１からの水とが各混合弁２４、２５、３０で混合されると共に各配管を通じて給湯される。
【００４７】
次に、浴槽５１の利用について説明する。浴槽５１に湯張りする場合、風呂用電磁弁７１を開くことにより、給水圧力により貯湯タンク１１内の湯が押し出され、給湯配管２７を通じて貯湯タンク１１からの湯と市水流入配管２１から給水される水とを風呂混合弁２４で混合して湯張り設定温度の湯とする。そしてこの湯を供給し、浴水循環回路８０を通じて浴槽５１に給湯する。そして、浴槽５１に湯張りした後は、所定時間毎に、風呂循環ポンプ８４を作動させて浴槽５１内の浴槽水を浴水循環回路８０内に循環させ、風呂循環サーミスタ８５で浴槽水の温度を検知し、保温の必要つまり追い焚き動作の必要があるか監視する。
【００４８】
浴槽水の温度が設定温度よりも低下した際には自動的に追い焚き動作し、また、リモコンなどの手動操作によっても追い焚き動作する。追い焚き動作では、まず、風呂循環ポンプ８４を運転させ、浴槽水を浴水循環回路８０内に取り込んで風呂熱交換器４２に循環させる。その状態で、風呂１次ポンプ４４を運転させることにより、貯湯タンク１１内の湯を、取出配管４１を通じて取り出して風呂熱交換器４２に送り込む。そして風呂熱交換器４２で貯湯タンク１１からの湯と浴槽５１からの浴槽水とで熱交換させ、この熱交換により温度上昇した浴槽水を風呂熱交サーミスタ８７で一定温度以上となるように、風呂１次ポンプ４４の回転数を増加減し浴槽５１に戻し、浴槽５１内の湯温を上昇させる。なお、取出配管４１に取り出す湯は、取出配管４１から取り出す貯湯タンク１１の上部の湯とヒートポンプユニット１３から直接供給される湯との混合比率を調整して取り出す。さらに、風呂熱交換器４２を通過して温度低下した貯湯タンク１１からの湯は、取入配管４３を通じて貯湯タンク１１に戻す。
【００４９】
次に、各リモコン９０、９２に関して説明する。台所リモコン９０は、例えば台所に設置されて給湯制御部３８と電気的に通信可能に接続されている。すなわち、台所リモコン９０は、ヒートポンプユニット１３および貯湯タンクユニット２０を遠隔操作するための遠隔操作装置である。各リモコン９０、９２は、それぞれ表示パネル９０１と十字キー等の操作部（図示せず）を有している。
【００５０】
図２は、風呂リモコン９２の表示パネル９０１に表示されたメニュー画面の一部表示例を表したものである。このメニュー画面には、「配管洗浄」、「高温さし湯」、「さし水」、「排水」、「次へ」、「たし湯」、「ふろ時間おしらせ」、「戻る」、「ふろ交互循環」といった表示部が表示されている。ユーザは操作部を操作することで所望の機能を選択できるようになっている。各リモコン９０、９２は、第１接続口５１ａと第２接続口５１ｂから交互に浴槽水または貯湯水を流出させる交互切替運転を設定することが可能な遠隔操作部である。
【００５１】
本給湯装置１０の給湯制御部３８は、以下の保温動作中にユーザに操作により風呂リモコン９２の表示パネル９０１に表示された「ふろ交互循環」が選択されると、風呂熱交換器４２で加熱された浴槽水を浴槽５１内に設けられた第１接続口５１ａと第２接続口５１ｂから交互に流出させるふろ交互循環運転を実施する。
【００５２】
（１）ユーザの入浴がセンサにより検知されて保温動作を実施している場合
（２）追い炊き運転による保温動作を実施している場合
（３）定期的に保温動作を実施している場合
図３は、ふろ交互循環運転時の処理を示すフローチャートである。本給湯装置１０の給湯制御部３８は、例えば、追い炊き運転による保温動作を実施している途中で、風呂リモコン９２からふろ交互循環が選択されたことを示す信号が入力されると、図３に示す処理を実施する。なお、各図面のフローチャートにおける各制御ステップは、給湯制御部３８が有する各種の機能部を構成している。
【００５３】
給湯制御部３８は、まず、風呂循環ポンプ８４を作動させて浴槽５１内の浴槽水を浴水循環回路８０内に循環させる（Ｓ１００）。
【００５４】
次に、第１接続口５１ａから浴槽５１へ浴槽水を流出させるよう第１流路切替部８１および第２流路切替部８６を制御する（Ｓ１０２）。具体的には、風呂熱交換器４２から第４配管８０４へ流出した浴槽水を、第１配管８０１へ流す流路ように第１流路切替部８１する。さらに、浴槽５１内の第１接続口５１ａから第１配管８０１へ流出した浴槽水を、第３配管８０３へ流すよう第２流路切替部８６を制御する。
【００５５】
これにより、図４中の矢印Ｒ１に示すように、第２接続口５１ｂから第２配管８０２へ浴槽５１内の浴槽水が取り込まれ、第２配管８０２に取り込まれた浴槽水は第２流路切替部８６により第３配管８０３へ流入し、第３配管８０３に流入した浴槽水は風呂熱交換器４２で加熱される。そして、風呂熱交換器４２で加熱された浴槽水は第４配管８０４に流入し、第４配管８０４に流入した浴槽水は第１流路切替部８１により第１配管８０１へ流入し、第１配管８０１に流入した浴槽水は第１接続口５１ａから浴槽５１内へ流出する。
【００５６】
次に、給湯制御部３８は、所定時間Ｘ（秒）が経過したか否かを判定する（Ｓ１０４）。給湯制御部３８は、タイマを有ししており、Ｓ１０２にて第１流路切替部８１および第２流路切替部８６の制御を開始してから所定時間Ｘ（秒）が経過したか否かを判定する。
【００５７】
ここで、Ｓ１０２にて第１流路切替部８１および第２流路切替部８６の制御を開始してから所定時間Ｘ（秒）が経過していない場合、Ｓ１０２の制御を継続する。
【００５８】
また、Ｓ１０２にて第１流路切替部８１および第２流路切替部８６の制御を開始してから所定時間Ｘ（秒）が経過すると、次に、第２接続口５１ｂから浴槽５１へ浴槽水を流出させるよう第１流路切替部８１および第２流路切替部８６を制御する（Ｓ１０６）。具体的には、風呂熱交換器４２から第４配管８０４へ流出した浴槽水を、第２配管８０２へ流すよう第１流路切替部８１を制御する。さらに、浴槽５１内の第２接続口５１ａから第２配管８０２へ流出した浴槽水を、第３配管８０３へ流すよう第２流路切替部８６を制御する。
【００５９】
これにより、図５中の矢印Ｒ２に示すように、第１接続口５１ａから第１配管８０１へ浴槽５１内の浴槽水が取り込まれ、第１配管８０１に取り込まれた浴槽水は第２流路切替部８６により第３配管８０３へ流入し、第３配管８０３に流入した浴槽水は風呂熱交換器４２で加熱される。そして、風呂熱交換器４２で加熱された浴槽水は第４配管８０４に流入し、第４配管８０４に流入した浴槽水は第１流路切替部８１により第２配管８０２へ流入し、第２配管８０２に流入した浴槽水は第２接続口５１ｂから浴槽５１内へ流出する。
【００６０】
次に、給湯制御部３８は、所定時間Ｙ（秒）が経過したか否かを判定する（Ｓ１０８）。給湯制御部３８は、Ｓ１０６にて第１流路切替部８１および第２流路切替部８６の制御を開始してから所定時間Ｙ（秒）が経過したか否かを判定する。
【００６１】
ここで、Ｓ１０６にて第１流路切替部８１および第２流路切替部８６の制御を開始してから所定時間Ｙ（秒）が経過していない場合、Ｓ１０６の制御を継続する。
【００６２】
また、Ｓ１０６にて第１流路切替部８１および第２流路切替部８６の制御を開始してから所定時間Ｙ（秒）が経過すると、次に、目標温度に到達したか否かを判定する（Ｓ１１０）。具体的には、風呂追焚きサーミスタ８５で浴槽水の温度を検知し、風呂追焚きサーミスタ８５で検知された浴槽水の温度が目標温度に到達していない場合は、Ｓ１０２へ戻る。このように、風呂熱交換器４２で加熱された浴槽水が浴槽５１内に設けられた第１接続口５１ａと第２接続口５１ｂから交互に流出する。
【００６３】
また、風呂追焚きサーミスタ８５で検知された浴槽水の温度が目標温度に到達している場合には、風呂循環ポンプ８４の作動を停止させて本処理を終了する。
【００６４】
上記したように、給湯装置１０は、貯湯水を貯えるタンク１１と、浴槽５１に貯められた浴槽水とタンク内の貯湯水とを熱交換して浴槽水を加熱する風呂熱交換器４２と、浴槽５１に設けられた第１接続口５１ａに接続された第１配管８０１と、浴槽５１に設けられた第２接続口５１ｂに接続された第２配管８０２と、を備えている。さらに、給湯装置１０は、風呂熱交換器４２により加熱された浴槽水を、第１配管を通過して第１接続口から浴槽内に流出させる第１流路と、第２配管を通過して第２接続口から浴槽内に流出させる第２流路と、を交互に切り替える流路切替部を備えている。
【００６５】
このような構成によれば、風呂熱交換器４２により加熱された浴槽水が、第１接続口５１ａと第２接続口５１ｂと、から浴槽５１内に交互に流出するので、温度体感フィーリングを向上することができる。
【００６６】
また、給湯装置１０は、風呂熱交換器４２における浴槽水の流入口に接続された第３配管８０３と、風呂熱交換器４２における浴槽水の流出口に接続された第４配管８０４と、を備えている。また、上記流路切替部は、風呂熱交換器４２から第４配管８０４へ流出した浴槽水を、第１配管８０１へ流す流路と、第２配管８０２へ流す流路と、に切り替える第１流路切替部８１を備えている。さらに、上記流路切替部は、浴槽５１内の第１接続口５１ａから第１配管８０１へ流出した浴槽水を、第３配管８０３へ流す流路と、浴槽５１内の第２接続口５１ｂから第２配管８０２へ流出した浴槽水を、第３配管８０３へ流す流路と、に交互に切り替える第２流路切替部８６を備えている。
【００６７】
そして、給湯制御部３８は、風呂熱交換器４２から第４配管８０４へ流出した浴槽水を、第１配管８０１へ流すよう第１流路切替部８１を制御するとともに浴槽５１内の第１接続口５１ａから第１配管８０１へ流出した浴槽水を、第３配管８０３へ流すよう第２流路切替部８６を制御する。さらに、給湯制御部３８は、風呂熱交換器４２から第４配管８０４へ流出した浴槽水を、第２配管８０２へ流すよう第１流路切替部８１を制御するとともに浴槽５１内の第２接続口５１ｂから第２配管８０２へ流出した浴槽水を、第３配管８０３へ流すよう第２流路切替部８６を制御する（Ｓ１０６）。このように、給湯制御部３８は、浴槽５１内から流出した浴槽水を、第１接続口５１ａと第２接続口５１ｂとの間で交互に循環させて浴槽５１内に流出させることができる。
【００６８】
また、風呂熱交換器４２は、第３配管８０３と第４配管８０４の間に設けられている。また、風呂水位センサ８２、風呂循環センサ８３、風呂追焚きサーミスタ８５、ポンプ８４および風呂追焚き温度センサ８７が第３配管８０３または第４配管８０４に設けられている。
【００６９】
これにより、第１流路切替部８１、第２流路切替部８６により浴槽水の循環方向が切り替えられても、風呂熱交換器４２により浴槽水を加熱することができ、新たなセンサ等を備えることなく、浴槽水の圧力、浴槽水の水位、浴槽水の流通の有無、風呂熱交換器４２より流出した浴水の温度等を検出することができる。
【００７０】
また、第１接続口５１ａと第２接続口５１ｂから交互に浴槽水を流出させる交互切替運転を設定することが可能な風呂リモコン９２を備え、給湯制御部３８は、風呂リモコン９２により交互切替運転が設定された場合、第１接続口５１ａと第２接続口５１ｂから交互に浴槽水または貯湯水を流出するよう第１流路切替部８１および第２流路切替部８６を制御する。このように、風呂リモコン９２を操作して第１接続口５１ａと第２接続口５１ｂから交互に浴槽水または貯湯水を流出させることができる。
【００７１】
（第２実施形態）
本発明の第２実施形態に係る給湯装置１０について図６〜図９を用いて説明する。本実施形態の給湯装置１０の構成は、上記第１実施形態の給湯装置１０と同じである。本実施形態の給湯装置１０は、上記第１実施形態の給湯装置１０と比較して、給湯制御部３８の処理が異なる。
【００７２】
本給湯装置１０の給湯制御部３８は、ユーザ操作に応じて浴槽への自動湯張りおよび交互注湯運転を実施する。本給湯装置１０の給湯制御部３８は、風呂リモコン９２から浴槽５１への自動湯張りを指示する信号が入力されると、図６に示す処理を実施する。
【００７３】
給湯制御部３８は、まず、図７の矢印Ｒ３に示すように、第１接続口５１ａと第２接続口５１ｂの両方から給湯が浴槽５１へ流入するよう第１流路切替部８１および第２流路切替部８６を制御する（Ｓ２００）。具体的には、第４配管８０４から第１配管８０１へ給湯水が流入するとともに第４配管８０４から第２配管８０２へ給湯水が流入するよう第１流路切替部８１を制御する。さらに、第２流路切替部８６内を貯湯水が流通しないよう第２流路切替部８６を閉止状態にする。
【００７４】
次に、風呂用電磁弁７１を開弁状態にする（Ｓ２０１）。これにより、給水圧力により貯湯タンク１１内の湯が押し出され、給湯配管２７を通じて貯湯タンク１１からの湯と市水流入配管２１から給水される水とが風呂混合弁２４で混合され所定温度の湯となる。そして、風呂混合弁２４で混合された湯は、風呂用電磁弁７１を通り第３配管８０３の合流部８０３ａで第３配管８０３に合流し、風呂熱交換器４２、第４配管８０４へ流入する。そして、第４配管８０４へ流入した貯湯水は、第１配管８０１、第１接続口５１ａを通って浴槽５１内に流入するとともに、第２配管８０２、第２接続口５１ｂを通って浴槽５１内に流入する。
【００７５】
次に、所定の流量の混合湯が出湯されたと判定する（Ｓ２０２）。具体的には、風呂用流量カウンタ７４により検出された流量情報に基づいて所定の流量の混合湯が出湯されたか否かを判定する。
【００７６】
ここで、所定の流量の混合湯が出湯されていない場合、Ｓ２０２へ戻る。また、所定の流量の混合湯が出湯されている場合は、風呂用電磁弁７１を閉弁状態にする（Ｓ２０４）。これにより、所定の流量の混合湯が浴槽５１に溜り、自動湯張りが完了する。
【００７７】
次に、風呂リモコン９２の表示パネル９０１に表示された「高温さし湯」が選択されたか否かを判定する（Ｓ２０６）。具体的には、風呂リモコン９２から高温さし湯が選択されたことを示す信号が入力されたか否かに基づいて「高温さし湯」が選択されたか否かを判定する。
【００７８】
ここで、風呂リモコン９２から高温さし湯が選択されたことを示す信号が入力されていない場合には、Ｓ２０６の判定を繰り返し実施する。また、風呂リモコン９２から高温さし湯が選択されたことを示す信号が入力されると、次に、第１接続口５１ａから浴槽５１内へ給湯水を注湯するよう第１流路切替部８１および第２流路切替部８６を制御する（Ｓ２０８）。
【００７９】
具体的には、風呂熱交換器４２から第４配管８０４へ流出した浴槽水を、第１配管８０１へ流すように第１流路切替部８１する。また、浴槽５１内の浴槽水が第３配管８０３へ流出しないよう第２流路切替部８６を閉止する。
【００８０】
これにより、図８中の矢印Ｒ４に示すように、風呂用電磁弁７１を通った給湯水は、合流部８０３で第３配管８０３に合流し、風呂熱交換器４２を通って第４配管８０４へ流入する。そして、第４配管８０４へ流入した貯湯水は、第１配管８０１、第１接続口５１ａを通って浴槽５１内に流出する。
【００８１】
次に、給湯制御部３８は、所定時間Ｘ（秒）が経過したか否かを判定する（Ｓ２１０）。給湯制御部３８は、Ｓ２０８にて第１流路切替部８１および第２流路切替部８６の制御を開始してから所定時間Ｘ（秒）が経過したか否かを判定する。
【００８２】
ここで、Ｓ２０８にて第１流路切替部８１および第２流路切替部８６の制御を開始してから所定時間Ｘ（秒）が経過していない場合、Ｓ２１０の制御を継続する。
【００８３】
また、Ｓ２０８にて第１流路切替部８１および第２流路切替部８６の制御を開始してから所定時間Ｘ（秒）が経過すると、次に、第２接続口５１ｂから浴槽５１へ給湯水を流出させるよう第１流路切替部８１および第２流路切替部８６を制御する（Ｓ２１２）。具体的には、風呂熱交換器４２から第４配管８０４へ流出した浴槽水を、第２配管８０２へ流すよう第１流路切替部８１を制御する。また、浴槽５１内の浴槽水が第３配管８０３へ流出しないよう第２流路切替部８６を閉止する。
【００８４】
これにより、図９中の矢印Ｒ５に示すように、風呂用電磁弁７１を通った給湯水は、合流部８０３で第３配管８０３に合流し、風呂熱交換器４２を通って第４配管８０４へ流入する。そして、第４配管８０４へ流入した給湯水は、第２配管８０２、第２接続口５１ｂを通って浴槽５１内へ流出する。
【００８５】
次に、給湯制御部３８は、所定時間Ｙ（秒）が経過したか否かを判定する（Ｓ２１４）。給湯制御部３８は、Ｓ２１２にて第１流路切替部８１および第２流路切替部８６の制御を開始してから所定時間Ｙ（秒）が経過したか否かを判定する。
【００８６】
ここで、Ｓ２１２にて第１流路切替部８１および第２流路切替部８６の制御を開始してから所定時間Ｙ（秒）が経過していない場合、Ｓ２１２の制御を継続する。
【００８７】
そして、Ｓ２１２にて第１流路切替部８１および第２流路切替部８６の制御を開始してから所定時間Ｙ（秒）が経過すると、次に、目標温度に到達したか否かを判定する（Ｓ２１４）。具体的には、風呂追焚きサーミスタ８５で浴槽水の温度を検知し、風呂追焚きサーミスタ８５で検知された浴槽水の温度が目標温度に到達していない場合は、Ｓ２０２へ戻る。このように、風呂用電磁弁７１を通った給湯水が浴槽５１内に設けられた第１接続口５１ａと第２接続口５１ｂから交互に流出する。
【００８８】
また、風呂追焚きサーミスタ８５で検知された浴槽水の温度が目標温度に到達している場合には、風呂循環ポンプ８４の作動を停止させて本処理を終了する。
【００８９】
上記した構成によれば、給湯装置１０は、タンク内の貯湯水を合流させる合流部（８０３ａ）を有し熱交換器における浴槽水の流入口に接続された第３配管（８０３）と、熱交換器における浴槽水の流出口に接続された第４配管（８０４）と、を備えている。また、給湯制御部３８は、タンク内の貯湯水を浴槽に注湯する場合、合流部から第３配管に合流した貯湯水を、第１配管へ流す流路と、第２配管へ流す流路と、に切り替える第１流路切替部（８１）を備えている。さらに、給湯制御部３８は、タンク内の貯湯水を浴槽５１に注湯する場合、合流部８０３ａから第３配管８０３に合流した貯湯水を、風呂熱交換器４２、第４配管８０４を通って第１配管８０１へ流すよう第１流路切替部８１を制御すること（Ｓ２０８）と、風呂熱交換器４２、第４配管８０４を通って第２配管８０２へ流すよう第１流路切替部８１を制御すること（Ｓ２１２）と、を交互に行う。このように、給湯制御部３８は、タンク内の貯湯水を浴槽５１に注湯する場合、タンク内の貯湯水を、第１接続口５１ａと第２接続口５１ｂとの間で交互に浴槽５１内に流出させることができる。
【００９０】
また、給湯制御部３８は、浴槽への自動湯張りを実施する際に、第１接続口５１ａと第２接続口５１ｂの両方から給湯が浴槽５１へ流入するよう第１流路切替部８１および第２流路切替部８６を制御するので、短時間で浴槽への自動湯張りを完了することが可能である。
【００９１】
（第３実施形態）
本発明の第３実施形態に係る給湯装置１０について図１０〜図１４を用いて説明する。本実施形態の給湯装置１０の構成は、上記第１実施形態の給湯装置１０と同じである。本実施形態の給湯装置１０は、上記第１実施形態の給湯装置１０と比較して、給湯制御部３８の処理が異なる。
【００９２】
本給湯装置１０の給湯制御部３８は、風呂リモコン９２から配管洗浄を指示する信号が入力されると、図６に示す処理を実施する。
【００９３】
給湯制御部３８は、まず、風呂用電磁弁７１を開弁状態にする（Ｓ３００）。これにより、給水圧力により市水が給水用配管１５、風呂混合弁２４、風呂用電磁弁７１を通り第３配管８０３の合流部８０３ａで第３配管８０３に合流し、風呂熱交換器４２、第４配管８０４へ流入する。
【００９４】
次に、図１１中の矢印Ｐ１で表されているパターン１に示す流路を市水流入配管２１からの水が流通するよう第１流路切替部８１および第２流路切替部８６を制御する（Ｓ３０２）。具体的には、第４配管８０４から第１配管８０１に水が流れるよう第１流路切替部８１を制御する。さらに、第２流路切替部８６内を貯湯水が流通しないよう第２流路切替部８６を閉止状態にする。これにより、第３配管８０３の合流部８０３ａから風呂熱交換器４２側の配管と、第４配管８０４と第１配管８０１の配管が水によって洗浄される。
【００９５】
次に、所定時間Ａ（秒）が経過したか否かを判定する（Ｓ３０４）。給湯制御部３８は、Ｓ３０２にて第１流路切替部８１および第２流路切替部８６の制御を開始してから所定時間Ａ（秒）が経過したか否かを判定する。
【００９６】
ここで、Ｓ３０２にて第１流路切替部８１および第２流路切替部８６の制御を開始してから所定時間Ａ（秒）が経過していない場合、Ｓ３０２の制御を継続する。
【００９７】
また、Ｓ３０２にて第１流路切替部８１および第２流路切替部８６の制御を開始してから所定時間Ａ（秒）が経過すると、次に、図１２中の矢印Ｐ２で表されているパターン２に示す流路を水が流通するよう第１流路切替部８１および第２流路切替部８６を制御する（Ｓ３０６）。具体的には、第４配管８０４から第１配管８０１に水が流れるよう第１流路切替部８１を制御する。なお、第２流路切替部８６は、閉止状態を継続する。これにより、第３配管８０３の合流部８０３ａから風呂熱交換器４２側の配管と、第４配管８０４と第２配管８０２の配管が水によって洗浄される。
【００９８】
次に、所定時間Ｂ（秒）が経過したか否かを判定する（Ｓ３０８）。給湯制御部３８は、Ｓ３０６にて第１流路切替部８１および第２流路切替部８６の制御を開始してから所定時間Ｂ（秒）が経過したか否かを判定する。
【００９９】
ここで、Ｓ３０６にて第１流路切替部８１および第２流路切替部８６の制御を開始してから所定時間Ｂ（秒）が経過していない場合、Ｓ３０６の制御を継続する。
【０１００】
また、Ｓ３０６にて第１流路切替部８１および第２流路切替部８６の制御を開始してから所定時間Ｂ（秒）が経過すると、次に、図１３中の矢印Ｐ３で表されているパターン３に示す流路を水が流通するよう第１流路切替部８１および第２流路切替部８６を制御する（Ｓ３１０）。具体的には、第１流路切替部８１内に水が流通しないよう第１流路切替部８１を閉止状態にする。さらに、第３配管８０３の合流部８０３ａから第２配管８０２に水が流れるよう第２流路切替部８１を制御する。これにより、第３配管８０３の合流部８０３ａから第２流路切替部８６側の配管と、第２流路切替部８６と第２接続口５１ｂ間の配管が水によって洗浄される。
【０１０１】
次に、所定時間Ｃ（秒）が経過したか否かを判定する（Ｓ３１２）。給湯制御部３８は、Ｓ３１０にて第１流路切替部８１および第２流路切替部８６の制御を開始してから所定時間Ｃ（秒）が経過したか否かを判定する。
【０１０２】
ここで、Ｓ３１０にて第１流路切替部８１および第２流路切替部８６の制御を開始してから所定時間Ｃ（秒）が経過していない場合、Ｓ３１０の制御を継続する。
【０１０３】
また、Ｓ３１０にて第１流路切替部８１および第２流路切替部８６の制御を開始してから所定時間Ｃ（秒）が経過すると、次に、図１４中の矢印Ｐ４で表されているパターン４に示す流路を水が流通するよう第１流路切替部８１および第２流路切替部８６を制御する（Ｓ３１４）。具体的には、第１流路切替部８１は、閉止状態を継続する。さらに、第３配管８０３の合流部８０３ａから第１配管８０１に水が流れるよう第２流路切替部８１を制御する。これにより、第３配管８０３の合流部８０３ａから第２流路切替部８６側の配管と、第２流路切替部８６と第１接続口５１ａ間の配管が水によって洗浄される。
【０１０４】
次に、所定時間Ｄ（秒）が経過したか否かを判定する（Ｓ３１６）。給湯制御部３８は、Ｓ３１４にて第１流路切替部８１および第２流路切替部８６の制御を開始してから所定時間Ｄ（秒）が経過したか否かを判定する。
【０１０５】
ここで、Ｓ３１４にて第１流路切替部８１および第２流路切替部８６の制御を開始してから所定時間Ｄ（秒）が経過していない場合、Ｓ３１４の制御を継続する。
【０１０６】
また、Ｓ３１４にて第１流路切替部８１および第２流路切替部８６の制御を開始してから所定時間Ｄ（秒）が経過すると、次に、目標温度に到達したか否かを判定する（Ｓ３１８）。具体的には、風呂追焚きサーミスタ８５で浴槽水の温度を検知し、風呂追焚きサーミスタ８５で検知された浴槽水の温度が目標温度に到達していない場合は、Ｓ３０２へ戻る。また、風呂追焚きサーミスタ８５で検知された浴槽水の温度が目標温度に到達している場合には、風呂循環ポンプ８４の作動を停止させて本処理を終了する。
【０１０７】
上記したように、給湯制御部３８は、第１配管８０１〜第４配管８０４を洗浄する場合、第１配管８０１〜第４配管８０４のすべての流路に水が流通するよう第１流路切替部８１および第２流路切替部８６を制御する。このように、第１流路切替部８１および第２流路切替部８６を制御することで、第１配管８０１〜第４配管８０４のすべての流路の洗浄を行うことができる。
【０１０８】
（第４実施形態）
本発明の第４実施形態に係る給湯装置１０について図１５、図１６を用いて説明する。上記第１実施形態の給湯装置１０は、２つの流路切替部８１、８６を用いて第１接続口５１ａと第２接続口５１ｂから交互に浴槽５１内に浴槽水を流出させるよう構成した。これに対し、本実施形態の給湯装置１０は、１つの流路切替部８８を用いて第１接続口５１ａと第２接続口５１ｂから交互に浴槽５１内に浴槽水を流出させる。
【０１０９】
流路切替部８８は、第１配管８０１、第２配管８０２、第３配管８０３および第４配管８０４に接続された電気式の四方弁である。
【０１１０】
図１５は、第１接続口５１ａから第１配管８０１へ流出した浴槽水を第３配管８０３、風呂熱交換器４２、第４配管８０４、第２配管８０２を通って第２接続口５１ｂから浴槽５１へ流入させる際の流路切替部８８の状態を示した図である。
【０１１１】
図１６は、第２接続口５１ｂから第２配管８０２へ流出した浴槽水を第３配管８０３、風呂熱交換器４２、第４配管８０４、第１配管８０１を通って第１接続口５１ａから浴槽５１へ流入させる際の流路切替部８８の状態を示した図である。
【０１１２】
すなわち、給湯制御部３８は、風呂熱交換器４２から第４配管８０４へ流出した浴槽水を、第１配管８０１へ流すとともに浴槽５１内の第２接続口５１ｂから第２配管８０２へ流出した浴槽水を、第３配管８０３へ流す状態と、風呂熱交換器４２から第４配管８０４へ流出した浴槽水を、第２配管８０２へ流すとともに浴槽５１内の第１接続口５１ａから第１配管８０１へ流出した浴槽水を、第３配管８０３へ流す状態と、を交互に切り替えるよう流路切替部８８を制御する。
【０１１３】
本実施形態では、上記第１実施形態と共通の構成から奏される同様の効果を上記第１実施形態と同様に得ることができる。
【０１１４】
また、上記したように、１つの流路切替部８８で、風呂熱交換器４２により加熱された浴槽水を、第１配管８０１を通過して第１接続口５１ａから浴槽５１内に流出させる第１流路と、第２配管８０２を通過して第２接続口５１ｂから浴槽５１内に流出させる第２流路と、を交互に切り替える流路切替部を構成することができ、低コスト化を図ることができる。
【０１１５】
（他の実施形態）
（１）上記各実施形態では、風呂水位センサ８２、風呂循環センサ８３、風呂循環サーミスタ８５および風呂循環ポンプ８４を第３配管８０３に設けるようにしたが、必ずしもこれらの全てを第３配管８０３に設ける必要はない。
【０１１６】
（２）上記第２実施形態では、「高温さし湯」が選択された場合に、風呂用電磁弁７１を通った給湯水が浴槽５１内に設けられた第１接続口５１ａと第２接続口５１ｂから交互に流出するよう構成した。これに対し、「足し湯」が選択された場合に、風呂用電磁弁７１を通った給湯水が浴槽５１内に設けられた第１接続口５１ａと第２接続口５１ｂから交互に流出するよう構成してもよい。
【０１１７】
（３）上記第３実施形態では、市水流入配管２１からの水により第１配管８０１〜第４配管８０４の配管洗浄を行うようにしたが、タンクに貯湯された給湯水あるいは、給湯水と市水を混合した混合水、あるいはタンクに貯湯された給湯水で第１配管８０１〜第４配管８０４の配管洗浄を行うようにしてもよい。
【０１１８】
（４）上記第１実施形態では、風呂リモコン９２の表示パネル９０１に表示された「配管洗浄」、「高温さし湯」、「さし水」、「排水」、「次へ」、「たし湯」、「ふろ時間おしらせ」、「戻る」、「ふろ交互循環」といった表示に従って所望の機能を選択するよう構成した。これに対し、台所リモコン９０に、同様の表示を行い、この表示に従って所望の機能を選択するよう構成してもよい。
【０１１９】
（５）上記各実施形態において、風呂水位センサ８２、風呂循環センサ８３、風呂追焚きサーミスタ８５、ポンプ８４および風呂追焚き温度センサ８７を第３配管８０３または第４配管８０４に設けるようにした。しかし、風呂水位センサ８２、風呂循環センサ８３、風呂追焚きサーミスタ８５、ポンプ８４および風呂追焚き温度センサ８７の少なくとも１つを第３配管８０３または第４配管８０４に設けるようにしてもよい。
【０１２０】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１２１】
（まとめ）
・上記実施形態の一部または全部で示された第１の観点によれば、給湯装置は、貯湯水を貯えるタンク（１１）と、浴槽（５１）に貯められた浴槽水とタンク内の貯湯水とを熱交換して浴槽水を加熱する熱交換器（４２）を備えている。また、浴槽に設けられた第１接続口（５１ａ）に接続された第１配管（８０１）と、浴槽に設けられた第２接続口（５１ｂ）に接続された第２配管（８０２）と、を備えている。さらに、熱交換器により加熱された浴槽水を、第１配管を通過して第１接続口から浴槽内に流出させる第１流路と、第２配管を通過して第２接続口から浴槽内に流出させる第２流路と、を交互に切り替える流路切替部（８１、８６、３８）を備えている。
【０１２２】
・上記実施形態の一部または全部で示された第２の観点によれば、給湯装置は、熱交換器における浴槽水の流入口に接続された第３配管（８０３）と、熱交換器における浴槽水の流出口に接続された第４配管（８０４）と、を備えている。また、流路切替部は、熱交換器から第４配管へ流出した浴槽水を、第１配管へ流す流路と、第２配管へ流す流路と、に切り替える第１流路切替部（８１）を備えている。また、流路切替部は、浴槽内の第１接続口から第１配管へ流出した浴槽水を、第３配管へ流す流路と、浴槽内の第２接続口から第２配管へ流出した浴槽水を、第３配管へ流す流路と、に交互に切り替える第２流路切替部（８６）を備えている。さらに、熱交換器から第４配管へ流出した浴槽水を、第１配管へ流すよう第１流路切替部を制御するとともに浴槽内の第１接続口から第１配管へ流出した浴槽水を、第３配管へ流すよう第２流路切替部を制御すること（Ｓ１０２）と、熱交換器から第４配管へ流出した浴槽水を、第２配管へ流すよう第１流路切替部を制御するとともに浴槽内の第２接続口から第２配管へ流出した浴槽水を、第３配管へ流すよう第２流路切替部を制御すること（Ｓ１０６）、とを交互に行う制御部（３８）と、を備えている。このように、制御部は、浴槽内から流出した浴槽水を、第１接続口と第２接続口との間で交互に循環させて浴槽内に流出させることができる。
【０１２３】
・上記実施形態の一部または全部で示された第３の観点によれば、給湯装置は、タンク内の貯湯水を合流させる合流部（８０３ａ）を有し熱交換器における浴槽水の流入口に接続された第３配管（８０３）と、熱交換器における浴槽水の流出口に接続された第４配管（８０４）と、を備えている。また、流路切替部は、合流部から第３配管に合流した貯湯水を、熱交換器、第４配管を通って第１配管へ流す流路と、熱交換器、第４配管を通って第２配管へ流す流路と、に切り替える第１流路切替部（８１）を備えている。さらに、タンク内の貯湯水を浴槽に注湯する場合、合流部から第３配管に合流した貯湯水を、熱交換器、第４配管を通って第１配管へ流すよう第１流路切替部を制御すること（Ｓ２０８）と、熱交換器、第４配管を通って第２配管へ流すよう第１流路切替部を制御すること（Ｓ２１２）と、を交互に行う制御部（３８）と、を備えている。このように、制御部は、タンク内の貯湯水を浴槽に注湯する場合、タンク内の貯湯水を、第１接続口と第２接続口との間で交互に浴槽内に流出させることができる。
【０１２４】
・上記実施形態の一部または全部で示された第４の観点によれば、制御部は、第１配管〜第４配管を洗浄する場合、第１配管〜第４配管のすべての流路に貯湯水を流通させるよう第１流路切替部および第２流路切替部を制御する（Ｓ３０２、Ｓ３０６、Ｓ３１０、Ｓ３１４）。このように、第１流路切替部８１および第２流路切替部８６を制御することで、第１配管８０１〜第４配管８０４のすべての流路の洗浄を行うことができる。
【０１２５】
・上記実施形態の一部または全部で示された第５の観点によれば、熱交換器は、第３配管と第４配管の間に設けられている。また、水位センサ（８２）、浴槽水流通センサ（８３）、温度センサ（８５）、ポンプ（８４）および風呂追焚き温度センサ（８７）の少なくとも１つが第３配管または第４配管に設けられている。ここで、水位センサ（８２）は、第３配管内を流通する浴槽水の圧力を検出して浴槽水の水位を示す情報を出力するセンサで、浴槽水流通センサ（８３）は、第３配管の熱交換器側の方向に浴槽水が流通しているか否かを検出するセンサである。温度センサ（８５）は、第３配管内を流通する浴槽水の温度を検知するセンサであり、ポンプ（８４）は、浴槽の浴水を熱交換器を経由して浴槽に戻す方向に循環させるポンプである。風呂追焚き温度センサ（８７）は、熱交換器より流出した浴水の温度を検知する温度センサである。これによれば、第１流路切替部、第２流路切替部により浴槽水の循環方向が切り替えられても、熱交換器により浴槽水を加熱することができ、新たなセンサ等を備えることなく、浴槽水の圧力、浴槽水の水位、浴槽水の流通の有無等を検出することができる。
【０１２６】
・上記実施形態の一部または全部で示された第６の観点によれば、給湯装置は、熱交換器における浴槽水の流入口に接続された第３配管（８０３）と、熱交換器における浴槽水の流出口に接続された第４配管（８０４）と、を備えている。また、流路切替部は、熱交換器から第４配管へ流出した浴槽水を、第１配管へ流すとともに浴槽内の第２接続口から第２配管へ流出した浴槽水を、第３配管へ流す状態と、熱交換器から第４配管へ流出した浴槽水を、第２配管へ流すとともに浴槽内の第１接続口から第１配管へ流出した浴槽水を、第３配管へ流す状態と、を切り替える第３流路切替部（８８）である。このように、１つの第３流路切替部で、熱交換器により加熱された浴槽水を、第１配管を通過して第１接続口から浴槽内に流出させる第１流路と、第２配管を通過して第２接続口から浴槽内に流出させる第２流路と、を交互に切り替える流路切替部を構成することができ、低コスト化を図ることができる。
【０１２７】
・上記実施形態の一部または全部で示された第７の観点によれば、第１接続口と第２接続口から交互に浴槽水または貯湯水を流出させる交互切替運転を設定することが可能な操作部を備え、制御部は、操作部により交互切替運転が設定された場合、第１接続口と第２接続口から交互に浴槽水または貯湯水を流出するよう第１流路切替部および第２流路切替部を制御する。このように、操作部を操作して第１接続口と第２接続口から交互に浴槽水または貯湯水を流出させることができる。
【符号の説明】
【０１２８】
１０    給湯装置
１１    貯湯タンク
４２    風呂熱交換器
５１    浴槽
８１    第１流路切替部
８６    第２流路切替部
８４    風呂循環ポンプ
５１ａ  第１接続口
５１ｂ  第２接続口
８０１  第１配管
８０２  第２配管
８０３  第３配管
８０４  第４配管
【図１】
2017156048.tif 000003
【図２】
2017156048.tif 000004
【図３】
2017156048.tif 000005
【図４】
2017156048.tif 000006
【図５】
2017156048.tif 000007
【図６】
2017156048.tif 000008
【図７】
2017156048.tif 000009
【図８】
2017156048.tif 000010
【図９】
2017156048.tif 000011
【図１０】
2017156048.tif 000012
【図１１】
2017156048.tif 000013
【図１２】
2017156048.tif 000014
【図１３】
2017156048.tif 000015
【図１４】
2017156048.tif 000016
【図１５】
2017156048.tif 000017
【図１６】
2017156048.tif 000018